(57)【要約】      （修正有）【課題】大入賞口を開閉する大入賞口扉を採用することなく、遊技球の噛みこみを解消しつつ遊技球を大入賞口へ円滑に入賞させ得るようにした大入賞口装置及び大入賞口を提供する。【解決手段】ケーシング内において、回転体は、連結部材を介しステップモータ２５０に同軸的に支持されている。回転体は、回転体本体２４０ａを有しており、この回転体本体２４０ａは、両大入賞通路部２４３、２４４及び両球排出凹部２４１、２４２を有する。ここで、両大入賞通路部２４３は、それぞれ、ケーシング２００ａの前壁の開口部に同軸的に対向し得るように回転体本体２４０ａに貫通状に形成されている。また、両球排出凹部２４１、２４２は、それぞれ、ケーシングの前壁の開口部に同軸的に対向し得るように開口するとともに径方向に外方へ開口するように、回転体本体２４０ａに凹状に切り欠き形成されている。【選択図】図７
2010246665.tif 000002
【特許請求の範囲】
【請求項１】
ケーシング本体と、このケーシング本体の開口端部に設けられて前記ケーシング本体内に開口する開口部を形成してなる前壁と、この前壁に設けられて遊技球を受けて前記開口部に向け案内する球受け部材とを備えるケーシングと、
このケーシング内に設けられる回転電動機と、
前記ケーシング本体内にて前記前壁と前記回転電動機との間にて前記回転電動機に回転可能に支持される回転体と、
前記回転電動機を回転するように制御する回転制御手段と、
前記回転体の回転角が少なくとも１つの一側所定回転角位置に達したとき当該回転角を検出する第１回転角検出手段と、
前記回転体の回転角が前記一側所定回転角位置とは異なる前記回転体の少なくとも１つの他側所定回転角位置に達したとき当該回転角を検出する第２回転角検出手段と、
前記回転体の回転角が前記一側所定回転角位置に達したとき前記第１回転角検出手段の検出出力に基づき前記回転電動機を所定の第１停止時間の間停止させるように制御する第１停止制御手段と、
前記回転体の回転角が前記他側所定回転角位置に達したとき前記第２回転角検出手段の検出出力に基づき前記回転電動機を所定の第２停止時間の間停止させるように制御する第２停止制御手段とを備えて、
前記回転体は、その軸周り部において、前記少なくとも１つの一側所定回転角位置に対応する位置にて前記ケーシング本体の前記前壁の前記開口部に対向し得るように貫通孔状に形成してなる少なくとも１つの大入賞口通路部と、前記少なくとも１つの他側所定回転角位置に対応する位置にて前記開口部に対向し得るように開口するとともに径方向に沿い外方に向け開口する少なくとも１つの球排出凹部とを有するように構成されている大入賞口装置。
【請求項２】
前記回転電動機と前記回転体との間に位置するように前記ケーシング本体の内壁部に支持される受承部材により、回転自在に支持される筒状継手と、この筒状継手の軸方向中間部位から前記一側所定回転角位置及び前記他側所定回転角位置に対応して径方向に外方へ延出する一対の被検出片とを有する連結部材を備えて、
前記回転電動機は、前記ケーシング本体内にて前記筒状継手を介し前記前壁に対向するように設けた電動機本体と、この電動機本体から回転自在に延出されて前記筒状継手内に嵌着される出力軸とにより構成されており、
前記回転体は、前記ケーシング本体内にて前記前壁と前記筒状継手との間に設けられて前記少なくとも１つの大入賞口通路部及び前記少なくとも１つの球排出凹部を有する回転体本体と、この回転体本体から延出されて前記出力軸と対向して前記筒状継手内に嵌着される回転軸とにより構成されており、
前記第１及び第２の回転角検出手段は、前記一対の被検出片の各延出端部を光学的に検出するように前記ケーシング本体の内壁に設けた第１及び第２の光センサであることを特徴とする請求項１に記載の大入賞口装置。
【請求項３】
前記少なくとも１つの一側所定回転角位置は、互いに１８０°異なる第１及び第２の回転角位置であるとともに、前記少なくとも１つの他側所定回転角位置は、前記第１回転角位置とは９０°異なる第３回転角位置及びこの第３回転角位置とは１８０°異なる第４回転角位置であり、
前記回転体は、前記少なくとも１つの大入賞口通路部として、第１大入賞口通路部、及びこの第１大入賞口通路部に対し１８０°位相を異にする第２大入賞口通路部とを有するとともに、前記少なくとも１つの球排出凹部として、前記第１大入賞口通路部に対し９０°位相を異にする第１球排出凹部、及びこの第１球排出凹部に対し１８０°位相を異にする第２球排出凹部とを有しており、
前記一対の被検出片は、前記第１及び第２の大入賞口通路部を結ぶ中心線方向に沿い前記筒状継手の前記中間部位から径方向に沿い外方へ互いに逆向きに延出しており、
前記第１光センサは、前記第１及び第２の大入賞口通路部の一方或いは前記第１及び第２の球排出凹部の前記前壁の前記開口部に対する対向状態において前記一方の被検出片の延出方向に位置するように前記ケーシング本体の内壁部に設けられるフォトインタラプタであり、
前記第２光センサは、前記第１光センサに対し９０°異なる位置にて、前記ケーシング本体の他の内壁部に設けられるフォトインタラプタであることを特徴とする請求項２に記載の大入賞口装置。
【請求項４】
前記回転電動機は、ステップモータからなり、
前記回転制御手段は、
ゲートパルス信号の出力指令をする出力指令手段と
所定周期にてタイミングパルス信号を順次発生するパルス信号発生手段と、
前記出力指令手段による前記出力指令のもとに前記パルス信号発生手段から順次発生する前記タイミングパルス信号に基づき前記ゲートパルス信号を順次出力するゲート回路と、
当該ゲート回路から順次出力される前記ゲート信号に基づき前記ステップモータを回転させるように駆動する駆動手段とを備えることを特徴とする請求項１〜３のいずれか１つに記載の大入賞口装置。
【請求項５】
遊技盤、この遊技盤の中央下部に設けられる始動入賞装置、及びこの始動入賞装置の下側にて前記遊技盤に設けられる大入賞口装置を有する遊技機本体と、
この遊技機本体にその前側から開閉可能に支持されて前記遊技盤の盤面に対向するように窓ガラスを設けてなる前側扉とを備えるパチンコ遊技機において、
前記大入賞口装置は、請求項１〜４のいずれか１つに記載の大入賞口装置であって、
前記ケーシングは、前記遊技盤に前記始動入賞装置の下側にて形成される取り付け穴部内に前記ケーシング本体にて嵌装されるとともに、前記前壁にて前記遊技盤の前記取り付け穴部に前記盤面側から装着されるようにした大入賞口装置を備えたパチンコ遊技機。
【発明の詳細な説明】
【技術分野】
【０００１】
本発明は、大入賞口装置及びこの大入賞口装置を備えたパチンコ遊技機に関する。
【背景技術】
【０００２】
従来、パチンコ遊技機に採用されている大入賞口装置としては、たとえば、下記特許文献１に記載の大入賞口装置が提案されている。この大入賞口装置は、大入賞口を開閉する入賞口扉を備えており、この入賞口扉は、大入賞口の下端縁寄り位置に設けられる支軸に枢着されている。これにより、当該入賞口扉は、前後方向に開閉するように、遊技盤の盤面の前側に位置するガラス板側へ或いは当該ガラス板から離れる側へ傾動可能となっている。
【０００３】
また、当該大入賞口装置は、入賞口扉を開閉駆動する大入賞口開放用ソレノイド及び可動部材を備えている。可動部材は、その基端部にて、コイルスプリングにより下方から上方に向け付勢されており、この可動部材の先端部に形成した二股部内には、入賞口扉のピンが遊嵌されている。これにより、可動部材は、上記コイルスプリングの伸縮に伴い、上下動して入賞口扉を開閉する。
【０００４】
また、大入賞口開放用ソレノイドは、可動部材の基端部の上方に位置しており、当該ソレノイドは、プランジャを、可動部材の基端部に向けて軸動可能に筒状ケーシング内に嵌装するとともに、コイルスプリングを、ケーシングとプランジャの頭部との間に介装してプランジャを可動部材の基部に向けて付勢するように構成されている。これにより、プランジャは、当該ソレノイドの消磁により、コイルスプリングの付勢力のもとに下方へ軸動して可動部材をそのコイルスプリングに抗して上述のように下動させる。また、当該プランジャは、ソレノイドの励磁によりコイルスプリングに抗して上動し、可動部材をそのコイルスプリングの付勢に基づき上述のごとく上動させる。
【０００５】
また、当該大入賞口装置は、感知片及び感知センサを有しており、感知片は、入賞口扉の開閉に応じて位置変位するように入賞口扉に設けられている。感知センサは、入賞口扉の開閉に応じて変位する感知片の位置を感知するようになっている。
【先行技術文献】
【特許文献】
【０００６】
【特許文献１】特開２００１−４６６９３号公報
【発明の概要】
【発明が解決しようとする課題】
【０００７】
ところで、上述のように構成した大入賞口装置においては、ソレノイドが励磁状態にあるにもかかわらず遊技球がガラス窓と入賞口扉との間に噛みこまれたために感知センサが入賞口扉の開位置に対応する感知片の位置を感知し得ないときには、入賞口扉が、ソレノイドの消磁により一旦閉鎖されることで噛みこみ遊技球を落下させた後に、ソレノイドの励磁により再び開放されるようになっている。これによれば、入賞口扉の遊技球の噛みこみによる弊害の発生を防止することは可能となる。
【０００８】
しかしながら、上述のように構成した大入賞口装置においては、入賞口扉のピンが上述したごとく可動部材の二股部内に遊嵌されているのみであることから、当該ピンの外周面と上記二股部の内面との間には、必然的にクリアランスが形成されてしまう。
【０００９】
このため、可動部材をソレノイドの励磁及び消磁により上下動させることで入賞口扉を繰り返し開閉させようとしても、入賞口扉の開閉が、可動部材の上動あるいは下動の方向とは逆方向に作用する入賞口扉の慣性のために可動部材の上下動には円滑には追随できないという事態が発生する。
【００１０】
例えば、入賞口扉の開放過程において、可動部材を停止させても、入賞口扉は、即座には停止することができず、開放方向に傾動しようとする。従って、このような段階において、可動部材が入賞口扉を閉鎖させるように下動しても、入賞口扉が閉鎖を開始するまでには、時間遅れが可動部材の下動開始時期に対し発生する。このため、入賞口扉を開閉させる可動部材の上下動が、入賞口扉の開閉とタイミングよく同期せず、その結果、可動部材の上下動動作や入賞口扉の開閉動作にロスが発生するという不具合を招く。以上のようなことは、可動部材の上下動の速度を高くするほど、著しい。このことは、遊技球の大入賞口への円滑な入賞を確保しつつ入賞口扉を高速で開閉することは困難であるということを意味する。
【００１１】
そこで、本発明は、以上のようなことに対処するために、直線運動を行うソレノイドのような構成に依存することなく回転運動を行う構成を有効に活用して、大入賞口を開閉する大入賞口扉を採用することなく、遊技球の噛みこみを解消しつつ当該遊技球を大入賞口へ円滑に入賞させ得るようにした大入賞口装置及びこの大入賞口を備えたパチンコ遊技機を提供することを目的とする。
【課題を解決するための手段】
【００１２】
上記課題の解決にあたり、本発明に係る大入賞口装置は、請求項１の記載によれば、
ケーシング本体（２１０）と、このケーシング本体の開口端部に設けられて上記ケーシング本体内に開口する開口部（２２２）を形成してなる前壁（２２０）と、この前壁に設けられて遊技球を受けて上記開口部に向け案内する球受け部材（２３０）とを備えるケーシング（２００ａ）と、
このケーシング内に設けられる回転電動機（２５０）と、
上記ケーシング本体内にて上記前壁と上記回転電動機との間にて上記回転電動機に回転可能に支持される回転体（２４０、２４０ａ）と、
上記回転電動機を回転するように制御する回転制御手段（３４０、４１０）と、
上記回転体の回転角が少なくとも１つの一側所定回転角位置（０°、１８０°）に達したとき当該回転角を検出する第１回転角検出手段（３１０）と、
上記回転体の回転角が上記一側所定回転角位置とは異なる上記回転体の少なくとも１つの他側所定回転角位置（９０°、２７０°）に達したとき当該回転角を検出する第２回転角検出手段（３２０）と、
上記回転体の回転角が上記一側所定回転角位置に達したとき上記第１回転角検出手段の検出出力に基づき上記回転電動機を所定の第１停止時間の間停止させるように制御する第１停止制御手段（４２０、４３０、４４０）と、
上記回転体の回転角が上記他側所定回転角位置に達したとき上記第２回転角検出手段の検出出力に基づき上記回転電動機を所定の第２停止時間の間停止させるように制御する第２停止制御手段（４５０、４６０、４７０）とを備えて、
上記回転体は、その軸周り部において、上記少なくとも１つの一側所定回転角位置に対応する位置にて上記ケーシング本体の上記前壁の上記開口部に対向し得るように貫通孔状に形成してなる少なくとも１つの大入賞口通路部（２４３、２４４）と、上記少なくとも１つの他側所定回転角位置に対応する位置にて上記開口部に対向し得るように開口するとともに径方向に沿い外方に向け開口する少なくとも１つの球排出凹部（２４１、２４２）とを有するように構成されている。
【００１３】
以上のように、大入賞口装置において、直線運動を行うソレノイドのような構成に依存することなく回転運動を行う構成として、回転電動機及びこの回転電動機により回転駆動される回転体を採用し、かつ、この回転体の軸周り部において、上述のように、少なくとも１つの大入賞口通路部及び少なくとも１つの球排出凹部を有するように構成した。
【００１４】
しかして、このように構成した大入賞口装置を、ケーシングの前壁にて、球受け部材とともに、パチンコ遊技機の前側扉のガラス窓に対向させて、回転体を回転電動機により回転させれば、大入賞口通路部及び球排出凹部が回転体の軸を中心として回転する。このような回転過程において、大入賞口通路部や球排出凹部が、順次、ケーシングの前壁の開口部に対向しながら回転する。
【００１５】
このような状態において、遊技盤の盤面に沿い転動する遊技球が、順次、球受け部材内に落下すると、当該これら各遊技球は、順次、球受け部材によりケーシングの前壁の開口部に向けて案内されて当該開口部内に進入する。
【００１６】
このような段階において、回転体の大入賞口通路部が前壁の開口部に対向しておれば、第１回転角検出手段が、回転体の一側所定回転角位置への到達を検出する。このことは、回転体の大入賞口通路部が前壁の開口部に対向していることが第１回転角検出手段によって検出されることを意味する。これに伴い、回転体が第１停止制御手段による制御のもとに現段階における回転位置を維持するように停止される。
【００１７】
このような状態において、遊技球が上述のごとく前壁の開口部内に進入すると、この遊技球は、さらに、大入賞口通路部内に進入し、然る後、入賞センサにより、大入賞口への入賞として検出される。
【００１８】
然る後、回転体のさらなる回転のもとに、回転体の球排出凹部が前壁の開口部に対向すれば、第２回転角検出手段が、回転体の他側所定回転角位置への到達を検出する。このことは、回転体の球排出凹部が前壁の開口部に対向していることが第２回転角検出手段によって検出されることを意味する。これに伴い、回転体が第２停止制御手段による制御のもとに現段階における回転位置を維持するように停止される。
【００１９】
このような状態において、遊技球が上述のごとく前壁の開口部内に進入しても、この遊技球は、球排出凹部内に進入した後、遊技盤の外部に排出検出される。
【００２０】
ここで、上述のごとく、直線運動を行うソレノイドのような構成に依存することなく回転運動を行う構成を、前壁の開口部との関係で採用したことから、大入賞口扉が不要となる。その結果、遊技球が大入賞口扉と窓ガラスとの間で噛み込まれるといったような不具合を未然に防止しつつ、遊技球の大入賞口への円滑な入賞を確保し得る大入賞口装置の提供が可能となる。
【００２１】
また、上述のごとく、直線運動を行うソレノイドのような構成に依存することなく回転運動を行う構成として、回転電動機及びこの回転電動機により回転駆動される回転体が採用されていることから、回転体を回転電動機により高速回転しても、回転体は回転電動機の回転に対し追随性よく同期して回転し得る。このため、回転体を回転電動機により高速回転しても、上述した噛み込みを未然に防止しつつ、遊技球の大入賞口への円滑な入賞を確保することができる。
【００２２】
また、本発明は、請求項２の記載によれば、請求項１に記載の大入賞口装置において、
上記回転電動機と上記回転体との間に位置するように上記ケーシング本体の内壁部に支持される受承部材（２１２、２１２ａ、２１２ｂ、２１２ｃ、２１３）により、回転自在に支持される筒状継手（２６１）と、この筒状継手の軸方向中間部位から上記一側所定回転角位置及び上記他側所定回転角位置に対応して径方向に外方へ延出する一対の被検出片（２６２、２６３）とを有する連結部材（２６０）を備えて、
上記回転電動機は、上記ケーシング本体内にて上記筒状継手を介し上記前壁に対向するように設けた電動機本体（２５１）と、この電動機本体から回転自在に延出されて上記筒状継手内に嵌着される出力軸（２５２）とにより構成されており、
上記回転体は、上記ケーシング本体内にて上記前壁と上記筒状継手との間に設けられて上記少なくとも１つの大入賞口通路部及び上記少なくとも１つの球排出凹部を有する回転体本体（２４０ａ）と、この回転体本体から延出されて上記出力軸と対向して上記筒状継手内に嵌着される回転軸（２４０ｂ）とにより構成されており、
上記第１及び第２の回転角検出手段は、上記一対の被検出片の各延出端部（２６２ａ、２６２ｂ）を光学的に検出するように上記ケーシング本体の内壁に設けた第１及び第２の光センサであることを特徴とする。
【００２３】
これによれば、回転体の回転軸及び回転電動機の出力軸が、ともに、連結部材の筒状継手でもって、ケーシング本体の受承部材により、確実に支持され得る。このため、回転体は、その回転体本体にて、電動機本体及び受承部材の双方でもって筒状継手を介し回転自在に支持され得る。
【００２４】
また、このような支持状態のもとでは、第１及び第２の回転角検出手段は、上述のごとく、一対の被検出片の各延出端部を光学的に検出する第１及び第２の光センサであることから、回転体の大入賞口通路部が前壁の開口部に対向していること或いは回転体の球排出凹部が前壁の開口部に対向していることが第１或いは第２の光センサにより光学的に精度よく検出される。
【００２５】
以上によれば、請求項１に記載の発明の作用効果がより一層具体的に向上され得る。
【００２６】
また、本発明は、請求項３の記載によれば、請求項２に記載の大入賞口装置において、
上記少なくとも１つの一側所定回転角位置は、互いに１８０°異なる第１及び第２の回転角位置であるとともに、上記少なくとも１つの他側所定回転角位置は、上記第１回転角位置とは９０°異なる第３回転角位置及びこの第３回転角位置とは１８０°異なる第４回転角位置であり、
上記回転体は、上記少なくとも１つの大入賞口通路部として、第１大入賞口通路部（２４３）、及びこの第１大入賞口通路部に対し１８０°位相を異にする第２大入賞口通路部（２６４）とを有するとともに、上記少なくとも１つの球排出凹部として、上記第１大入賞口通路部に対し９０°位相を異にする第１球排出凹部（２４１）、及びこの第１球排出凹部に対し１８０°位相を異にする第２球排出凹部（２６２）とを有しており、
上記一対の被検出片は、上記第１及び第２の大入賞口通路部を結ぶ中心線方向に沿い上記筒状継手の上記中間部位から径方向に沿い外方へ互いに逆向きに延出しており、
上記第１光センサは、上記第１及び第２の大入賞口通路部の一方或いは上記第１及び第２の球排出凹部の上記前壁の上記開口部に対する対向状態において上記一方の被検出片の延出方向に位置するように上記ケーシング本体の内壁部に設けられるフォトインタラプタであり、
上記第２光センサは、上記第１光センサに対し９０°異なる位置にて、上記ケーシング本体の他の内壁部に設けられるフォトインタラプタであることを特徴とする。
【００２７】
これによれば、第１及び第２の回転角位置は互いに逆位相角の位置にあるとともに、第３及び第４の回転角位置は、第１及び第２の回転角位置に対し９０°位置ずれして互いに逆位相角の位置にある。
【００２８】
また、第１及び第２の大入賞口通路部は、第１及び第２の回転角位置に対応するように互いに逆位相の位置にあるとともに、第１及び第２の球排出凹部は、第１及び第２の大入賞口通路部に対し９０°位置ずれして第３及び第４の回転角位置に対応するように互いに逆位相の位置にある。
【００２９】
これに伴い、一対の被検出片は、上記第１及び第２の大入賞口通路部を結ぶ中心線方向に沿って位置しており、また、フォトインタラプタからなる第１光センサは、フォトインタラプタからなる第２光センサとは９０°異なる位置にて、第１及び第２の大入賞口通路部の一方或いは上記第１及び第２の球排出凹部の上記前壁の上記開口部に対する対向状態において上記一方の被検出片の延出方向に位置する。
【００３０】
このように構成することで、回転体の回転に伴い、９０°間隔にて、第１及び第２の大入賞口通路部並びに第１及び第２の球排出凹部のいずれかをケーシングの前壁の開口部に対向させることとなる。これによっても、請求項２に記載の発明の作用効果がより一層具体的に達成され得る。
【００３１】
また、本発明は、請求項４の記載によれば、請求項１〜３のいずれか１つに記載の大入賞口装置において、
上記回転電動機は、ステップモータからなり、
上記回転制御手段は、
ゲートパルス信号の出力指令をする出力指令手段（４１０）と
所定周期にてタイミングパルス信号を順次発生するパルス信号発生手段（３４０ａ）と、
上記出力指令手段による上記出力指令のもとに上記パルス信号発生手段から順次発生する上記タイミングパルス信号に基づき上記ゲートパルス信号を順次出力するゲート回路（３４０ｂ）と、
当該ゲート回路から順次出力される上記ゲート信号に基づき上記ステップモータを回転させるように駆動する駆動手段（３４０ｃ、３４０ｄ）とを備えることを特徴とする。
【００３２】
このように回転電動機としてステップモータを用い、回転制御手段として、出力指令手段、パルス信号発生手段、ゲート回路及び駆動手段からなる構成を用いることで、ステップモータの回転特性を有効に活用することとなる。その結果、請求項１〜３のいずれか１つに記載の発明の作用効果がより一層良好に確保され得る。
【００３３】
また、本発明に係るパチンコ遊技機は、請求項５の記載によれば、
遊技盤（１０）、この遊技盤の中央下部に設けられる始動入賞装置、及びこの始動入賞装置の下側にて上記遊技盤に設けられる大入賞口装置を有する遊技機本体（Ｂ）と、
この遊技機本体にその前側から開閉可能に支持されて上記遊技盤の盤面に対向するように窓ガラスを設けてなる前側扉とを備える。
【００３４】
当該パチンコ遊技機において、上記大入賞口装置は、請求項１〜４のいずれか１つに記載の大入賞口装置であって、
上記ケーシングは、上記遊技盤に上記始動入賞装置の下側にて形成される取り付け穴部内に上記ケーシング本体にて嵌装されるとともに、上記前壁にて上記遊技盤の上記取り付け穴部に上記盤面側から装着されるようにしたものである。
【００３５】
これによれば、請求項１〜４のいずれか１つに記載の発明の作用効果を達成し得るパチンコ遊技機の提供が可能となる。
【００３６】
なお、上記各手段の括弧内の符号は、後述する実施形態に記載の具体的手段との対応関係を示すものである。
【図面の簡単な説明】
【００３７】
【図１】本発明に係るパチンコ遊技機の一実施形態を示す前面図である。
【図２】図１のパチンコ遊技機の遊技盤を示す前面図である。
【図３】図２の大入賞口装置を示す拡大斜視図である。
【図４】図３の大入賞口装置を示す正面図である。
【図５】図２の大入賞口装置を遊技球の入賞状態にて示す拡大縦断面図である。
【図６】図２の大入賞口装置を遊技球の排出状態にて示す拡大縦断面図である。
【図７】図５の大入賞口装置の回転機構を遊技球の入賞状態にて示す斜視図である。
【図８】図５の大入賞口装置の回転機構を遊技球の排出状態にて示す斜視図である。
【図９】上記一実施形態の制御回路を示すブロック図である。
【図１０】図９のマイクロコンピュータにより実行されるコンピュータプログラムのフローチャートである。
【図１１】（Ａ）は上記一実施形態における回転体を遊技球の入賞に対応する回転角位置にて示す正面図であり、（Ｂ）は上記一実施形態における両検出片を両光センサと共に遊技球の入賞に対応する回転角位置にて示す正面図である。
【図１２】（Ａ）は上記一実施形態における回転体を遊技球の排出に対応する回転角位置にて示す正面図であり、（Ｂ）は上記一実施形態における両検出片を両光センサと共に遊技球の排出に対応する回転角位置にて示す正面図である。
【図１３】（Ａ）及び（Ｂ）は、各光センサの受光及び遮光を示すタイミングチャートであり、（Ｃ）は、大入賞口の開閉を示すタイミングチャートである。
【発明を実施するための形態】
【００３８】
以下、本発明の一実施形態を図面により説明する。図１は、本発明を適用してなるパチンコ遊技機の一実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００３９】
前扉ＦＤは、遊技機本体Ｂの枠体（図示しない）とともに、前後方向に開閉可能に上記機枠に支持されており、この前扉ＦＤは、図１にて示すごとく、前枠ＦＤ１の中空部に窓ガラスＦＤ２を嵌め込んで構成されている。
【００４０】
当該前扉ＦＤは、演出ボタンスイッチＢＳ、枠ランプＬＰ及び両スピーカＳＰを備えている。演出ボタンスイッチＢＳは、前枠ＦＤ１の中空部の下縁部に配設されており、この演出ボタンスイッチＢＳは遊技者によりその演出表示要求に応じて押動操作される。枠ランプＬＰは、前枠ＦＤ１の内周部に沿い配設されており、この枠ランプＬＰは、画像表示器４０（後述する）による表示演出に合せて点滅演出を行う。両スピーカＳＰは、前枠ＦＤ１の左右両側上部に埋設されており、当該両スピーカＳＰは、例えば、枠ランプＬＰの点滅演出に合わせて音声演出を行う。
【００４１】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体にて、上記機枠に対し前後方向に開閉可能に支持されている。
【００４２】
また、当該遊技機本体Ｂは、ガイドレール２０、環状のセンター役物３０、多数の障害釘からなる障害釘群（図示しない）、及び画像表示器４０を備えている。ガイドレール２０は、遊技盤１０の盤面１１に沿い配設されており、このガイドレール２０は、その内周側において、遊技盤１０の盤面１１上に遊技領域１２を特定する。しかして、ガイドレール２０は、ハンドルＨ（図１参照）の回動操作により、球発射装置（図示しない）から発射される遊技球を案内して、遊技領域１２内に転動させる。
【００４３】
センター役物３０は、図２にて示すごとく、遊技盤１０の中央開口部にその外周部に沿い盤面１１側から組み付けられている。上記障害釘群の各障害釘は、ガイドレール２０の内側において、センター役物３０の左側から下側にかけて、遊技盤１０にその盤面１１側から分散して打ち込まれている。しかして、上記障害釘群によれば、ガイドレール２０から遊技領域１２内に転動する遊技球が、遊技盤１０の盤面１１に沿い、各障害釘との衝突を経て、下方へ転動する。
【００４４】
画像表示器４０は、遊技盤１０の中央部に設けた開口部から前方を臨むように、遊技盤１０の裏面に配設されており、この画像表示器４０は種々の画像を表示する。
【００４５】
また、当該遊技機本体Ｂは、スタートチャッカー５０、電動チューリップ６０、スルーゲート７０、風車８０、複数の普通入賞口９０、複数の星形盤ランプ１００及び複数の星形可動役物１１０を備えており、スタートチャッカー５０、電動チューリップ６０、スルーゲート７０、風車８０、各普通入賞口９０、各星形盤ランプ１００及び各星形可動役物１１０は、図２にて示す各位置にて、遊技盤１０の盤面１１に遊技領域１２内にて組み付けられている。
【００４６】
ここで、スタートチャッカー５０は、センター役物３０の下縁中央部の直下に位置している。このスタートチャッカー５０は、始動入賞口５１を備えており、当該スタートチャッカー５０は、その左右周辺に位置する複数の障害釘（いわゆる道釘）により案内される遊技球やセンター役物３０のステージ上から落下する遊技球に対し始動入賞口５１への入賞（始動入賞）の機会を与える。また、当該スタートチャッカー５０は、始動入賞口５１への遊技球の入賞に基づき、大当たり抽選の機会を形成する。
【００４７】
電動チューリップ６０は、普通電動役物としての役割を果たすべく、スタートチャッカー５０の直下に位置しており、この電動チューリップ６０は、電チュー入賞口６１を備えている。しかして、当該電動チューリップ６０は、その閉鎖状態（図２にて示す状態）にて、遊技球に対し電チュー入賞口６１への入賞の機会を与える。また、当該電動チューリップ６０は、その開放状態にて、遊技球の電チュー入賞口６１への入賞の機会を増大させる。なお、電チュー入賞口６１は、始動入賞口５１と同様の遊技球の始動入賞口としての役割をも兼ねる。
【００４８】
スルーゲート７０は、センター役物３０の左縁中央部の左側に位置している。これにより、遊技球が当該スルーゲート７０の直上から遊技盤１０の盤面１１に沿い下方へ転動するとき、当該遊技球はスルーゲート７０を通過する機会を得る。風車８０は、スルーゲート７０の下方に位置しており、この風車８０は、遊技盤１０の盤面１１に沿いスルーゲート７０或いはその周囲から下方へ転動する遊技球により衝突されたとき、回転しつつ当該遊技球を下方へ転動させる。複数（３つ）の普通入賞口９０は、スタートチャッカー５０の左右両側に位置しており、これらの直上から下方へ転動する遊技球に対し入賞の機会を与える。
【００４９】
複数の星形盤ランプＬＰ２は、図２にて示すごとく、左側の両普通入賞口９０の間及び右側の普通入賞口９０の右側に、２つずつ、位置しており、当該複数の星形盤ランプ１００は、その各点滅により、所定の演出を行う。また、各星形可動役物１１０は、図２にて示すごとく、センター役物３０の右側部に配設されている。
【００５０】
また、当該遊技機本体Ｂは、大入賞口装置２００を有しており、この大入賞口装置２００は、図２にて示すごとく、スタートチャッカー５０の直下において、遊技盤１０にその盤面１１側から設けられている。
【００５１】
大入賞口装置２００は、図３にて示すごとく、合成樹脂材料からなるケーシング２００ａを有しており、このケーシング２００ａは、図３或いは図４にて示すごとく、直方体形状のケーシング本体２１０、前壁２２０及び球受け部材２３０でもって構成されている。前壁２２０は、その裏面中央部にて、ケーシング本体２１０の開口部を閉じるように、当該開口部に装着されている。
【００５２】
球受け部材２３０は、コ字状の周壁部２３１を底壁２３２の前側及び左右両側の各外周縁部から上方へ立ち上がるように延出して構成されており、この球受け部材２３０は、その後側開口部にて、前壁２２０の中央部にその前側から装着されている。
【００５３】
ここで、底壁２３２は、その左右両側及び前側の外周縁部から球受け部材２３０の後側開口部の左右方向中央部に向けて下に凸な湾曲形状にて傾斜するように形成されている。これにより、当該球受け部材２３０は、その底壁２３２上へ上方から落下する遊技球を、底壁２３２により前壁２２０の開口部２２２（図３、図５及び図６参照）内へ案内するようになっている。なお、前壁２２０の開口部２２２は、球受け部材２３０の後側開口部の左右方向中央部を臨むように、前壁２２０の中央部にその板厚方向へ貫通状に形成されている。
【００５４】
しかして、このように構成されたケーシング２００ａは、図５及び図６にて示すごとく、ケーシング本体２１０を、遊技盤１０にその板厚方向に形成した貫通穴部１３に対し盤面１１側から挿通して、前壁２２０の外周部２２１にて、複数のビス（図示しない）により遊技盤１０の盤面１１に締着されている。ここで、ケーシング２００ａは、ケーシング本体２１０の底壁２１１を下方に位置させるように、遊技盤１０の盤面１１に締着されている。なお、ケーシング本体２１０の内部は、当該ケーシング本体２１０の軸方向中央部に設けた隔壁２１２により前後に区画されている。
【００５５】
また、大入賞口装置２００は、図５〜図８にて示すごとく、回転機構２００ｂを有しており、この回転機構２００ｂは、ケーシング２００ａ内に収容されている。当該回転機構２００ｂは、回転体２４０と、２相励磁式ステップモータ２５０と、回転体２４０をステップモータ２５０に同軸的に連結する連結部材２６０とを備えている。
【００５６】
ステップモータ２５０は、そのモータ本体２５１でもって、ケーシング本体２１０の内部のうち隔壁２１２の後側部位内にてケーシング本体２１０の底壁２１１上に設けられており、このステップモータ２５０は、その出力軸２５２にて、モータ本体２５１から隔壁２１２の中央孔部２１２ａに向けて同軸的にかつ回転自在に延出している。本実施形態では、当該ステップモータ２５０のモータ本体２５１は、直列接続した両励磁コイルＬ１、Ｌ２及び直列接続した両励磁コイルＬ３、Ｌ４を設けたステータ（図示しない）と、このステータ内に回転自在に支持するロータＲとを内蔵して構成されている（図９参照）。なお、出力軸２５２は、ロータＲの回転軸に相当する。
【００５７】
連結部材２６０は、筒状継手２６１及び一対の被検出片２６２、２６３を一体的に有するように、合成樹脂材料により形成されている。筒状継手２６１は、その軸方向中間部位にて、隔壁２１２の中央孔部２１２ａに挿通されて、軸受け２１３を介し、筒状ボス部２１２ｂ内に回転自在にかつ同軸的に支持されており、この筒状継手２６１の後部内には、ステップモータ２５０の出力軸２５２が同軸的に嵌装されてキー止め（図５にて符号２５２ａ参照）されている。これにより、連結部材２６０は、ステップモータ２５０の出力軸２５２と一体的に回転する。
【００５８】
本実施形態において、上述した筒状ボス部２１２ｂは、隔壁２１２の中央孔部２１２ａの外周部から前方に向け同軸的に突出形成されている。また、軸受け２１３は、環状ボス部２１２ｂ内に同軸的に嵌装されており、この軸受け２１３は、その外輪にて、筒状ボス部２１２ｂの突出端部から軸方向へ断面Ｌ字状に延出する環状部２１２ｃと中央孔部２１２ａの外周部との間に挟持されている。
【００５９】
一対の被検出片２６２、２６３は、両光センサ３１０、３２０（後述する）の検出対象となるもので、これら被検出片２６２、２６３は、ケーシング本体２１０の内部のうち隔壁２１２の後側部位内にて、筒状継手２６１の外周後端部から径方向に沿い互いに外方へ逆向きに延出されている。
【００６０】
回転体２４０は、図５及び図６にて示すごとく、ケーシング本体２１０の内部のうち隔壁２１２の後側部位内にて、連結部材２６０により同軸的に支持されており、この回転体２４０は、円柱台形状の回転体本体２４０ａ及び回転軸２４０ｂを一体的に有するように、合成樹脂材料により形成されている。
【００６１】
回転体本体２４０ａは、図５〜図８のいずれかにて示すごとく、一対の凹状切り欠き部２４１、２４２及び一対の貫通孔部２４３、２４４を有している。一対の凹状切り欠き部２４１、２４２は、回転体本体２４０ａにその縦断面に対し対称的に位置するように設けられており、これら凹状切り欠き部２４１、２４２は、それぞれ、回転体本体２４０ａのうちその後壁２４５以外の部位に当該回転体本体２４０ａの外周面から中心軸に向けて横断面扇形状となるように凹状に切り欠き形成されている。本実施形態では、両球排出凹部２４１、２４２は、それぞれ、後述するごとく、前壁２２０の開口部２２２から進入する遊技球を、入賞させることなく排出させる通路部としての役割を果たす。このため、当該両凹状切り欠き部２４１、２４２は、以下、両球排出凹部２４１、２４２ともいう。
ここで、球排出凹部２４１は、その前側開口端部２４１ａにて、ケーシング２００ａの前壁２２０の開口部２２２に対し同軸的に対向し得るように、かつ、その半径方向開口端部２４１ｂにて、ケーシング本体２１０の球排出案内通路部２１７の上側開口端部２１７ａ内に向け開口し得るように、回転体本体２４０ａに形成されている。一方、球排出凹部２４２も、その前側開口端部２４２ａにて、ケーシング２００ａの前壁２２０の開口部２２２に対し同軸的に対向し得るように、かつ、その半径方向開口端部２４２ｂにて、ケーシング本体２１０の球排出案内通路部２１７の上端開口部２１７ａ内に向け開口し得るように、回転体本体２４０ａに形成されている。
本実施形態において、上述した球排出案内通路部２１７は、回転体本体２４０ａの外周下端部の直下からケーシング本体２１０の底壁２１１の前端部を通り前壁２２０の中央下部にかけて延在するように、ケーシング２００ａに形成されている。ここで、球排出案内通路部２１７は、その上端開口部２１７ａにて、回転体本体２４０ａの外周下端部に向け下方から開口しており、当該球排出案内通路部２１７は、その下端開口部２１７ｂにて、前壁２２０の中央下部から窓ガラスＦＤ２に向けて開口している。
【００６２】
また、一対の貫通孔部２４３、２４４は、回転体本体２４０ａのうち両球排出凹部２４１、２４２以外の部位において、回転体本体２４０ａの縦断面に対し対称的に位置するように設けられており、これら各貫通孔部２４３、２４４は、それぞれ、回転体本体２４０ａのうち両球排出凹部２４１、２４２以外の部位に軸方向に貫通状に形成されている。本実施形態では、両貫通孔部２４３、２４４は、その各前端開口部２４３ａ、２４４ａにて、後述するごとく、前壁２２０の開口部２２２から進入する遊技球を、入賞させる大入賞口としての役割を果たす。このため、以下、両貫通孔部２４３、２４４は、大入賞口通路部２４３、２４４ともいう。
【００６３】
ここで、大入賞口通路部２４３は、その前端開口部２４３ａにて、ケーシング２００ａの前壁２２０の開口部２２２に対し同軸的に対向し得るように、かつ、その後端開口部２４３ｂにて、ケーシング２００ａの球入賞案内通路部２１４の上端開口部２１４ａ内に向け開口し得るように回転体本体２４０ａに形成されている。一方、貫通孔部２４４は、その前端開口部２４４ａにて、ケーシング２００ａの前壁２２０の開口部２２２に対し同軸的に対向し得るように、かつ、その後端開口部２４４ｂにて、ケーシング２００ａの球入賞案内通路部２１４の上端開口部２１４ａ内に向け開口し得るように回転体本体２４０ａに形成されている。
【００６４】
本実施形態において、両大入賞口通路部２４３、２４４の共通縦断面は、連結部材２６０の両被検出片２６２、２６３の共通縦断面と一致する（図７参照）。また、球入賞案内通路部２１４は、球排出案内通路部２１７の直後にて、ケーシング２００ａの内部のうち隔壁２１２の前側部位内に設けられており、この球入賞案内通路部２１４は、隔壁２１２の筒状ボス部２１２ｂの下端部から、隔壁２１２の下部に沿い、入賞センサ２７０の環状検出部２７２を介しケーシング２００ａの底壁２１１の貫通孔部２１１ａにかけて形成されている。なお、入賞センサ２７０は、磁気センサからなるもので、この入賞センサ２７０は、その基部２７１にて、ケーシング２００ａの隔壁２１２の中央下部に形成した貫通孔部２１２ｄに底壁２１１に沿うように嵌着されている。これに伴い、入賞センサ２７０の環状検出部２７２は、底壁２１１の貫通孔部２１１ａ上にて当該貫通孔部２１１ａと同軸的に位置している。これにより、入賞センサ２７０は、球入賞案内通路部２１４を通り環状検出部２７２に進入する遊技球を大入賞口への入賞として磁気的に検出する。
ここで、球入賞案内通路部２１４は、その上端開口部２１４ａにて、回転体本体２４０ａの両大入賞口通路部２４３、２４４の各後端開口部２４３ｂ、２４４ｂの各々内に向け開口し得るように形成されている。但し、球入賞案内通路部２１４の下端開口部２１４ｂは、上述した底壁２１１の貫通孔部２１１ａに一致する。このため、球入賞案内通路部２１４の下端開口部は、下端開口部２１１ａとも称する。なお、貫通孔部２１１ａは、ケーシング２００ａの底壁２１１に隔壁２１２の前側にて形成されている。
【００６５】
また、上述した回転軸２４０ｂは、回転体本体２４０ａからその後方へ同軸的に延出しており、この回転軸２４０ｂは、連結部材２６０の筒状継手２６１の後部内に同軸的に嵌着されている。これにより、回転体２４０は、連結部材２６０と一体的に回転する。
【００６６】
以上のように構成した回転体２４０においては、各大入賞口通路部２４３、２４４は、回転体本体２４０ａの軸周りにおいて、各球排出凹部２４１、２４２に対し、９０°だけずれて位置している。これにより、回転体２４０は、両球排出凹部２４１、２４２及び両大入賞口通路部２４３、２４４のいずれかにより、９０°間隔にて、前壁２２０の開口部２２２に対向し得るように回転する。
【００６７】
従って、両被検出片２６２、２６３が図７にて示すごとく図示上下方向に位置するとき、回転体２４０は、両大入賞口通路部２４３、２４４のいずれかにて、前壁２２０の開口部２２２に対向する。また、両被検出片２６２、２６３が図８にて示すごとく図示左右方向に位置するとき、回転体２４０は、両球排出凹部２４１、２４２のいずれかにて、前壁２２０の開口部２２２に対向する。
【００６８】
ここで、回転体２４０の正転方向において、光センサ３１０の角度位置が０°に対応し、光センサ３２０の角度位置が９０°に対応する。また、光センサ３１０の連結部材２６０の筒状継手２６１の軸とは反対側の角度位置が１８０°に対応し、また、光センサ３２０の連結部材２６０の筒状継手２６１の軸とは反対側の角度位置が２７０°に対応する。なお、回転体２４０の正転方向の回転角をθとすれば、回転体２４０は、回転角θ＝０°及びθ＝１８０°にて、各大入賞口通路部２４４及び２４３を、それぞれ、前壁２２０の開口部２２２に対向させるように位置し、また、回転角θ＝９０°及びθ＝２７０°にて、各球排出凹部２４２、２４１を、それぞれ、前壁２２０の開口部２２２に対向させるように位置する。
【００６９】
次に、ステップモータ２５０のための制御装置３００について説明する。当該制御装置３００は、図９にて示すごとく、２つの光センサ３１０、３２０を有しており、これら光センサ３１０、３２０は、それぞれ、フォトインタラプタでもって構成されている。
【００７０】
光センサ３１０は、図７及び図８にて示すごとく、発光部３１１及び受光部３１２を互いに対向させるように、発光部３１１及び受光部３１２と連結部３１３とでもって、コ字形状に形成されている。このように構成された光センサ３１０は、図７及び図８にて示すごとく、発光部３１１及び受光部３１２を前後方向に位置させて、連結部３１３により、ケーシング２００ａの内部のうち隔壁２１２の後側部位内において上壁２１５の左右方向中央部に装着されている。
【００７１】
ここで、光センサ３１０は、発光部３１１と受光部３１２との間を、被検出片２６２、２６３の各延出端部２６２ａ、２６３ａを正転方向に通過させるように、連結部３１３にて、ケーシング２００ａの内部のうち隔壁２１２の後側部位内において上壁２１５の左右方向中央部に装着されている。
【００７２】
これにより、両被検出片２６２、２６３のいずれもが光センサ３１０の発光部３１１と受光部３１２との間に介在しないとき、受光部３１２が発光部３１１から出射される光を受光する。このことは、光センサ３１０が、両被検出片２６２、２６３のいずれをも検出していないことを意味する。また、両被検出片２６２、２６３のいずれかが光センサ３１０の発光部３１１と受光部３１２との間に介在するとき、受光部３１２が発光部３１１からの出射光から遮断される。このことは、光センサ３１０が、両被検出片２６２、２６３のいずれかを検出することを意味する。
【００７３】
また、光センサ３２０は、図７及び図８にて示すように、発光部３２１及び受光部３２２を互いに対向させるように、発光部３２１及び受光部３２２と連結部３２３とでもって、コ字形状に形成されている。そして、このように構成された光センサ３２０は、発光部３２１及び受光部３２２を前後方向に位置させるように、連結部３２３により、ケーシング２００ａの内部のうち隔壁２１２の後側部位内にて、左壁２１６の上下方向中間部位に装着されている。ここで、光センサ３２０は、発光部３２１と受光部３２２との間を、被検出片２６２、２６３の各延出端部２６２ａ、２６３ａを正転方向に通過させるように、連結部３２３にて、ケーシング２００ａの内部のうち隔壁２１２の後側部位内において左壁２１６の上下方向中間部位に装着されている。
【００７４】
これにより、両被検出片２６２、２６３のいずれもが光センサ３２０の発光部３２１と受光部３２２との間に介在しないとき、受光部３２２が発光部３２１から出射される光を受光する。このことは、光センサ３２０が、両被検出片２６２、２６３のいずれをも検出していないことを意味する。また、両被検出片２６２、２６３のいずれかが光センサ３２０の発光部３２１と受光部３２２との間に介在するとき、受光部３２２が発光部３２１の出射光から遮断される。このことは、光センサ３２０が、両被検出片２６２、２６３のいずれかを検出することを意味する。
【００７５】
また、当該制御装置３００は、マイクロコンピュータ３３０を有しており、このマイクロコンピュータ３３０は、図１０にて示すフローチャートに従いコンピュータプログラムを実行する。そして、この実行のもと、マイクロコンピュータ３３０は、両光センサ３１０、３２０のいずれかの検出出力に基づき、モータ制御回路３４０を介してステップモータ２５０を駆動制御するに要する種々の演算処理を行う。
【００７６】
本実施形態において、当該マイクロコンピュータ３３０は、電源回路ＰＳから電源スイッチＳＷを介し直流電圧を供給されて作動状態となり上記コンピュータプログラムの実行を開始する。なお、上記コンピュータプログラムは、マイクロコンピュータ３３０のＲＯＭに予め当該マイクロコンピュータ３３０により読み出し可能に記憶されている。
【００７７】
電源回路ＰＳは、電源スイッチＳＷとともに、遊技盤本体Ｂの裏面に設けられており、当該電源回路ＰＳは、上記パチンコホールの商用電源からの給電に基づき直流電圧を発生する。電源スイッチＳＷは、そのオンにより、電源回路ＰＳからの直流電圧をマイクロコンピュータ３３０及びステップモータ２５０に供給する。また、当該電源スイッチＳＷは、そのオフにより電源回路ＰＳからの直流電圧を、マイクロコンピュータ３３０及びステップモータ２５０から遮断する。
【００７８】
モータ制御回路３４０は、マイクロコンピュータ３３０による制御のもとに、ステップモータ２５０を駆動制御するためのもので、このモータ制御回路３４０は、図９にて示すごとく、パルス信号発生回路３４０ａ、ＡＮＤゲート３４０ｂ、２相励磁回路３４０ｃ及び駆動回路３４０ｄでもって構成されている。
【００７９】
パルス信号発生回路３４０ａは、電源回路ＰＳから電源スイッチＳＷを介し給電されて作動状態になり、所定の周期にてハイレベルのタイミングパルス信号を順次発生する。ＡＮＤゲート３４０ｂは、マイクロコンピュータ３３０からの出力司令処理のもとに、パルス信号発生回路３４０ａから順次発生するタイミングパルス信号をハイレベルのゲートパルス信号として出力する。また、ＡＮＤゲート３４０ｂは、マイクロコンピュータ３３０からの出力停止指令処理のもとに、ゲートパルス信号の出力を停止する。なお、ＡＮＤゲート３４０ｂは、ハイレベルの両入力に基づき、ハイレベルの出力を発生する。また、ＡＮＤゲート３４０ｂに対する両入力の少なくとも一方がローレベルになると、当該ＡＮＤゲート３４０ｂの出力はローレベルになる。
【００８０】
２相励磁回路３４０ｃは、駆動回路３４０ｄを介し、ステップモータ２５０を２相励磁方式でもって励磁駆動するための回路（例えば、三洋電機株式会社製ＰＭＭ８７２３型ＩＣ回路）からなるもので、この２相励磁回路３４０ｃは、電源回路ＰＳから電源スイッチＳｗを介し給電されて作動状態となり、ＡＮＤゲート３４０ｂから順次出力されるゲートパルス信号毎に、第１及び第３の両励磁パルス信号の双方、第２及び第３の両励磁パルス信号の双方、第２及び第４の両励磁パルス信号の双方、並びに第１及び第４の両励磁パルス信号の双方を駆動回路３４ｄに順次出力するというサイクルを繰り返す。
【００８１】
換言すれば、２相励磁回路３４０ｃは、ＡＮＤゲート３４０ｂから順次出力されるゲートパルス信号毎に、第１及び第３の両励磁パルス信号を出力し、第１励磁パルス信号の出力停止及び第３励磁パルス信号の出力維持のもとに第２励磁パルス信号を出力し、第３励磁パルス信号の出力停止及び第２励磁パルス信号の出力維持のもとに第４励磁パルス信号を出力し、ついで、第２励磁パルス信号の出力停止及び第４励磁パルス信号の出力維持のもとに第１励磁パルス信号を出力するというサイクルを繰り返す。なお、２相励磁回路３４０ｃは、上述したＰＭＭ８７２３型ＩＣ回路に代えて、例えば、株式会社東芝製ＴＡ８４１５Ｐ型ＩＣ回路であってもよい。
【００８２】
駆動回路３４０ｄは、電源回路ＰＳから電源スイッチＳｗを介し給電されて作動状態となり、２相励磁回路３４０ｃからの第１及び第３の両励磁パルス信号に基づき両励磁コイルＬ１、Ｌ３を励磁し、２相励磁回路３４０ｃからの第２及び第３の両励磁パルス信号に基づき両励磁コイルＬ２、Ｌ３を励磁し、２相励磁回路３４０ｃからの第２及び第４の両励磁パルス信号に基づき両励磁コイルＬ２、Ｌ４を励磁し、２相励磁回路３４０ｃからの第１及び第４の両励磁パルス信号に基づき両励磁コイルＬ１、Ｌ４を励磁するというサイクルを繰り返して、ステップモータ２５０を正転方向に回転させる。なお、本実施形態において、駆動回路３４０ｄの第１出力端子は、ステップモータ２５０の励磁コイルＬ１及び励磁コイルＬ２を介し、駆動回路３４０ｄの第２出力端子に接続されている。また、駆動回路３４０ｄの第３出力端子は、ステップモータ２５０の励磁コイルＬ３及び励磁コイルＬ４を介し、駆動回路３４０ｄの第４出力端子に接続されている。また、両励磁コイルＬ１、Ｌ２の共通端子及び両励磁コイルＬ３、Ｌ４の共通端子は、共に、電源スイッチＳＷを介し電源回路ＰＳの出力端子に接続されている。
【００８３】
以上のように構成した本実施形態において、電源スイッチＳＷをオンすると、電源回路ＰＳが、マイクロコンピュータ３３０、モータ制御回路３４０及びステップモータ２５０に給電する。すると、マイクロコンピュータ３３０は、電源回路ＰＳからの給電に基づき作動状態になり、上記コンピュータプログラムの実行を、図１０のフローチャートに従い開始する。このとき、パルス信号発生回路３４０ａは、電源回路ＰＳからの給電に基づき作動状態になり、マイクロコンピュータ３３０の作動開始に合わせて所定周期にてタイミングパルス信号の発生を開始する。
【００８４】
上述のようなコンピュータプログラムの実行開始に伴い、ステップ４１０において、ゲートパルス信号出力指令処理がなされる。このゲートパルス信号出力指令処理では、ハイレベルの出力司令信号が、マイクロコンピュータ３３０からモータ制御回路３４０に出力される。すると、当該モータ制御回路３４０において、ＡＮＤゲート３４０ｂが、マイクロコンピュータ３３０からのハイレベルの出力司令信号のもとに、パルス信号発生回路３４０ａから順次出力されるタイミングパルス信号をハイレベルのゲートパルス信号として順次２相励磁回路３４０ｂに出力する。
【００８５】
すると、この２相励磁回路３４０ｂは、電源回路ＰＳからの給電のもとに、ＡＮＤゲート３４０ｂから順次出力されるゲートパルス信号毎に、第１及び第３の両励磁パルス信号の双方、第２及び第３の両励磁パルス信号の双方、第２及び第４の両励磁パルス信号の双方並びに第１及び第４の両励磁パルス信号の双方を順次発生することを繰り返す。
【００８６】
これに伴い、駆動回路３４０ｄが、電源回路ＰＳからの給電のもとに、２相励磁回路３４０ｂからの第１及び第３の両励磁パルス信号の双方、第２及び第３の両励磁パルス信号の双方、第２及び第４の両励磁パルス信号の双方並びに第１及び第４の両励磁パルス信号の双方の発生の繰り返しに基づき、ステップモータ２５０の両励磁コイルＬ２、Ｌ３を励磁し、２相励磁回路３４０ｃからの第２及び第４の両励磁パルス信号に基づき両励磁コイルＬ２、Ｌ４を励磁し、２相励磁回路３４０ｃからの第１及び第４の両励磁パルス信号に基づき両励磁コイルＬ１、Ｌ４を励磁するというサイクルを繰り返して、ステップモータ２５０を正転方向に回転するように駆動する。
【００８７】
このようにしてステップモータ２５０が回転すると、回転体２４０が、連結部材２６０と共に、ステップモータ２５０に連動して当該ステップモータ２５０と同一方向に回転する。このような回転に伴い、連結部材２６０においては、両被検出片２６２、２６３が、その各延出端部２６２ａ、２６３ａにて、光センサ３１０の発光部３１１と受光部３１２との間及び光センサ３２０の発光部３２１と受光部３２２との間を、順次、繰り返し通過する。これとともに、回転体２４０が、大入賞口通路部２４３、球排出凹部２４１、大入賞口通路部２４４及び球排出凹部２４２を、順次、ケーシング２００ａの前壁２２０の開口部２２２に対向させるように回転することを繰り返す。
【００８８】
上述のような回転過程において、連結部材２６０の両被検出片２６２、２６３が、いずれも、両光センサ３１０、３２０により検出されていない状態（図１３（Ａ）（Ｂ）にて符号ａ、ｃ参照）にあっては、回転角θは、０°、９０°、１８０°及び２７０°のいずれでもないことから、各ステップ４１１、４１２、４１３及び４１４において順次ＮＯとの判定を繰り返す処理がなされる。このとき、回転体２４０は、両大入賞口通路部２４３、２４４及び両球排出凹部２４１、２４２のいずれによっても、ケーシング２００ａの前壁２２０の開口部２２２に対向していない。このことは、大入賞口装置の大入賞口（両大入賞口通路部２４３、２４４の各前端開口部２４３ａ、２４４ａ）が閉鎖していることを意味する（図１２（Ｃ）にて符号ｅ参照）。
【００８９】
然る後、例えば、回転体２４０が、図５、図７及び図１１（Ａ）にて示すごとく両大入賞口通路部２４３、２４４を上下方向に位置させる回転角位置に達するために、連結部材２６０の被検出片２６２が、その延出端部２６２ａにて、図５、図７及び図１１（Ｂ）にて示すごとく、光センサ３１０の発光部３１１から受光部３１２への光を遮断する回転角位置に達すると、光センサ３１０が連結部材２６０の被検出片２６２を検出する（図１３（Ａ）にて符号ｂ１参照）。これによれば、回転角がθ＝０°にあることから、ステップ４１１においてＹＥＳと判定される。このとき、回転体２４０が、その大入賞口通路部２４４にて、ケーシング２００ａの前壁２２０の開口部２２２に対向している。このことは、大入賞口装置の大入賞口（前端開口部２４４ａ）が開放されることを意味する。
【００９０】
上述のようにステップ４１１における判定がＹＥＳになると、次のステップ４２０においてゲートパルス信号出力停止指令処理がなされる。このゲートパルス信号出力停止指令処理では、ローレベルの出力停止司令信号が、マイクロコンピュータ３３０からＡＮＤゲート３４０ｂに出力される。このため、ＡＮＤゲート３４０ｂはゲートパルス信号をローレベルにする。このことは、２相励磁回路３４０ｂに対するゲートパルス信号の出力を停止することを意味する。これにより、ステップモータ２５０は、現段階における回転角位置を維持して停止する。
【００９１】
このような状態になると、遊技盤１０の盤面１１に沿い大入賞口装置の球受け部材２３０内に落下する遊技球が、当該球受け部材２３０の底壁部２３２により案内されて前壁２２０の開口部２２２を通り回転体２４０の大入賞口通路部２４４内に進入する。このようにして大入賞口通路部２４４内に進入した遊技球は、図５にて示すごとく、球入賞案内通路部２１４及び入賞センサ２７０の環状検出部２７２を通り落下する。このとき、遊技球は大入賞口（前端開口部２４４ａ）への入賞として入賞センサ２７０により検出される。
【００９２】
上述のようにステップ４２０における処理がなされた後、次のステップ４３０におけるソフトタイマー計時開始処理において、マイクロコンピュータ３３０に内蔵のソフトタイマーがそのリセットのもとに起動される。このため、当該ソフトタイマーが計時を開始する。
【００９３】
然る後、次のステップ４４０において、所定の第１停止時間が経過したか否かが判定される。本実施形態では、当該第１停止時間は、回転体２４０の両大入賞口通路部２４３、２４４のいずれかを前壁２２０の開口部２２２に対向させておくに要するステップモータ２５０の停止時間を表し、マイクロコンピュータ３３０のＲＯＭに予め読み出し可能に記憶されている。なお、上記第１停止時間は、例えば、大当たり抽選の結果による長当たり、短当たり或いは小当たりの遊技において必要とされる時間（図１３（Ａ）（Ｃ）にて示すΔｔ１に対応）をいう。
【００９４】
現段階では、上記ソフトタイマーの計時の開始直後であることから、ステップ４４０における判定はＮＯとなる。従って、上記第１停止時間が経過するまで、回転体２４０がその大入賞口通路部２４４にて前壁２２０の開口部２２２に対向して位置するように維持されることから、上述と同様にして、球受け部材２３０内に順次落下する各遊技球が、球受け部材２３０の底壁部２３２により案内されて前壁２２０の開口部２２２を通り回転体２４０の大入賞口通路部２４４内に進入し、球入賞案内通路部２１４及び入賞センサ２７０の環状検出部２７２を通り落下する。このとき、各遊技球は、順次、大入賞口（前端開口部２４４ａ）への入賞として入賞センサ２７０により検出される。このような状態にて、上述の第１停止時間が経過すると、上記ソフトタイマーの計時時間に基づき、ステップ４４０においてＹＥＳと判定される。
【００９５】
然る後、ステップ４１０において再びゲートパルス信号出力指令処理が上述と同様になされる。これに伴い、ステップモータ２５０がモータ制御回路３４０により上述と同様に駆動制御されて正転方向に回転する。このため、既に回転角θは０°でないことから、ステップ４１１においてＮＯと判定された後、次のステップ４１２においてθ＝９０°か否かが判定される。現段階において、回転体２４０が、図６、図８及び図１２（Ａ）にて示すごとく両球排出凹部２４１、２４２を上下方向に位置させる回転角位置に達するために、連結部材２６０の被検出片２６２が、その延出端部２６２ａにて、図６、図８及び図１２（Ｂ）にて示すごとく、光センサ３２０の発光部３２１から受光部３２２への光を遮断する回転角位置に達すると、光センサ３２０が連結部材２６０の被検出片２６２を検出する（図１３（Ｂ）にて符号ｄ参照）。これによれば、回転角がθ＝９０°にあることから、ステップ４１２においてＹＥＳと判定される。このとき、回転体２４０が、その大球排出凹部２４２にて、ケーシング２００ａの前壁２２０の開口部２２２に対向している。このことは、大入賞口装置の大入賞口が閉鎖されることを意味する。
【００９６】
上述のようにステップ４１２における判定がＹＥＳになると、次のステップ４５０においてゲートパルス信号出力停止指令処理がなされる。このゲートパルス信号出力停止指令処理では、ローレベルの出力停止司令信号が、マイクロコンピュータ３３０からＡＮＤゲート３４０ｂに出力される。このため、ＡＮＤゲート３４０ｂはゲートパルス信号をローレベルにする。このことは、２相励磁回路３４０ｂに対するゲートパルス信号の出力を停止することを意味する。これにより、ステップモータ２５０は、現段階における回転角位置を維持して停止する。
【００９７】
このような状態になると、遊技盤１０の盤面１１に沿い大入賞口装置の球受け部材２３０内に落下する遊技球が、当該球受け部材２３０の底壁部２３２により案内されて前壁２２０の開口部２２２を通り回転体２４０の球排出凹部２４２内に進入する。このようにして球排出凹部２４２内に進入した遊技球は、図６にて示すごとく、球排出案内通路部２１７を通りその下端開口部２１７ｂから窓ガラスＦＤ２とケーシング２００ａの前壁２２０との間に排出される。
【００９８】
上述のようにステップ４５０における処理がなされた後、次のステップ４６０におけるソフトタイマー計時開始処理において、マイクロコンピュータ３３０に内蔵のソフトタイマーがそのリセットのもとに起動される。このため、当該ソフトタイマーが計時を開始する。
【００９９】
然る後、ステップ４７０において、所定の第２停止時間が経過したか否かが判定される。本実施形態では、当該第２停止時間は、回転体２４０の両球排出凹部２４１、２４２のいずれかを前壁２２０の開口部２２２に対向させておくに要するステップモータ２５０の停止時間を表し、マイクロコンピュータ３３０のＲＯＭに予め読み出し可能に記憶されている。なお、上記第２停止時間は、例えば、大当たり抽選の結果による長当たり、短当たり或いは小当たりの遊技において必要とされる他の時間（図１３（Ｂ）にて示すΔｔ２に対応）をいう。
【０１００】
現段階では、上記ソフトタイマーの計時の開始直後であることから、ステップ４７０における判定はＮＯとなる。従って、上記第２停止時間が経過するまで、回転体２４０がその球排出凹部２４２にて前壁２２０の開口部２２２に対向して位置するように維持されることから、上述と同様にして、球受け部材２３０内に順次落下する各遊技球が、球受け部材２３０の底壁部２３２により案内されて前壁２２０の開口部２２２、回転体２４０の球排出凹部２４２及び球排出案内通路部２１７を通りその下端開口部２１７ｂから窓ガラスＦＤ２とケーシング２００ａの前壁２２０との間に排出される。然る後、上述の第２停止時間が経過すると、上記ソフトタイマーの計時時間に基づき、ステップ４４０においてＹＥＳと判定される。
【０１０１】
ついで、上述と同様のステップ４１０におけるゲートパルス信号出力指令処理のもとに、ステップモータ２５０をさらに正転方向に回転させると、両ステップ４１１、４１２におけるＮＯとの判定後、ステップ４１３において、θ＝１８０°か否かが判定される。現段階において、回転体２４０が、上述とは異なり両大入賞口通路部２４４、２４３を上下方向に位置させる回転角位置に達するために、連結部材２６０の被検出片２６３が、その延出端部２６３ａにて光センサ３１０の発光部３１１から受光部３１２への光を遮断する回転角位置に達すると、光センサ３１０が連結部材２６０の被検出片２６３を検出する（図１３（Ａ）にて符号ｂ２参照）。これによれば、回転角がθ＝１８０°にあることから、ステップ４１３においてＹＥＳと判定される。このとき、回転体２４０が、その大入賞口通路部２４３にて、ケーシング２００ａの前壁２２０の開口部２２２に対向している。このことは、大入賞口装置の大入賞口（前端開口部２４３ａ）が開放されることを意味する。
【０１０２】
上述のようにステップ４１３における判定がＹＥＳになると、上述と同様のステップ４２０におけるゲートパルス信号出力停止処理のもとに、ＡＮＤゲート３４０ｂが、２相励磁回路３４０ｂに対するゲートパルス信号の出力を停止する。これにより、ステップモータ２５０は、現段階における回転角位置を維持して停止する。
【０１０３】
このような状態になると、遊技盤１０の盤面１１に沿い大入賞口装置の球受け部材２３０内に落下する遊技球が、当該球受け部材２３０の底壁部２３２により案内されて前壁２２０の開口部２２２を通り回転体２４０の大入賞口通路部２４３内に進入する。このようにして大入賞口通路部２４３内に進入した遊技球は、球入賞案内通路部２１４及び入賞センサ２７０の環状検出部２７２を通り落下する。このとき、遊技球は大入賞口（前端開口部２４３ａ）への入賞として入賞センサ２７０により検出される。
【０１０４】
上述のようにステップ４２０における処理がなされた後、次のステップ４３０における上述と同様のソフトタイマー計時開始処理のもとに、ステップ４４０において、所定の第１停止時間が経過したか否かが判定される。上述と同様に、当該ステップ４４０におけるＮＯとの判定のもとに、上記第１停止時間が経過するまで、回転体２４０がその大入賞口通路部２４３にて前壁２２０の開口部２２２に対向して位置するように維持される。
【０１０５】
このため、上述と同様にして、球受け部材２３０内に順次落下する各遊技球が、球受け部材２３０の底壁部２３２により案内されて前壁２２０の開口部２２２を通り回転体２４０の大入賞口通路部２４３内に進入し、球入賞案内通路部２１４及び入賞センサ２７０の環状検出部２７２を通り落下する。このとき、各遊技球は、順次、大入賞口（前端開口部２４３ａ）への入賞として入賞センサ２７０により検出される。このような状態にて、上述の第１停止時間が経過すると、上記ソフトタイマーの計時時間に基づき、ステップ４４０においてＹＥＳと判定される。
【０１０６】
然る後、ステップ４１０において再びゲートパルス信号出力指令処理が上述と同様になされる。これに伴い、ステップモータ２５０がモータ制御回路３４０により上述と同様に駆動制御されて正転方向に回転する。このため、各ステップ４１１、４１２及び４１３においてＮＯと判定された後、ステップ４１４においてθ＝２７０°か否かが判定される。現段階において、回転体２４０が、上述とは異なり、両球排出凹部２４２、２４１を上下方向に位置させる回転角位置に達するために、連結部材２６０の被検出片２６３が、その延出端部２６３ａにて、光センサ３２０の発光部３２１から受光部３２２への光を遮断する回転角位置に達すると、光センサ３２０が連結部材２６０の被検出片２６３を検出する。これによれば、回転角がθ＝２７０°にあることから、ステップ４１４においてＹＥＳと判定される。このとき、回転体２４０が、その大球排出凹部２４１にて、ケーシング２００ａの前壁２２０の開口部２２２に対向している。このことは、大入賞口装置の大入賞口が閉鎖されることを意味する。
【０１０７】
上述のようにステップ４１２における判定がＹＥＳになると、上述と同様のステップ４５０におけるゲートパルス信号出力停止指令処理のもとに、ＡＮＤゲート３４０ｂは、２相励磁回路３４０ｂに対するゲートパルス信号の出力を停止することを意味する。これにより、ステップモータ２５０は、現段階における回転角位置を維持して停止する。
【０１０８】
このような状態になると、遊技盤１０の盤面１１に沿い大入賞口装置の球受け部材２３０内に落下する遊技球が、当該球受け部材２３０の底壁部２３２により案内されて前壁２２０の開口部２２２を通り回転体２４０の球排出凹部２４１内に進入する。このようにして球排出凹部２４１内に進入した遊技球は、球排出案内通路部２１７を通りその下端開口部２１７ｂから窓ガラスＦＤ２とケーシング２００ａの前壁２２０との間に排出される。
【０１０９】
上述のようにステップ４５０における処理がなされた後、上述と同様のステップ４６０におけるソフトタイマー計時開始処理のもとに、ステップ４７０において所定の第２停止時間が経過したか否かが判定される。しかして、当該ステップ４７０におけるＮＯとの判定後、上記第２停止時間が経過するまで、回転体２４０がその球排出凹部２４１にて前壁２２０の開口部２２２に対向して位置するように維持される。このため、上述と同様にして、球受け部材２３０内に順次落下する各遊技球が、球受け部材２３０の底壁部２３２により案内されて前壁２２０の開口部２２２、回転体２４０の球排出凹部２４１及び球排出案内通路部２１７を通りその下端開口部２１７ｂから窓ガラスＦＤ２とケーシング２００ａの前壁２２０との間に排出される。然る後、上述の第２停止時間が経過すると、上記ソフトタイマーの計時時間に基づき、ステップ４４０においてＹＥＳと判定される。
【０１１０】
以上述べたように、本実施形態の大入賞口装置においては、直線運動を行うソレノイドのような構成に依存することなく回転運動を行う構成として、ステップモータ２５０及びこのステップモータ２５０により連結部材２６０を介し回転駆動される回転体２４０を採用し、かつ、この回転体２４０において、上述のように両大入賞口通路部２４３、２４４及び両球排出凹部２４１、２４２を有するように構成した。ここで、ケーシング２００ａの前壁２２０が、球受け部材２３０とともに、パチンコ遊技機の前側扉のガラス窓に対向して位置する。
【０１１１】
しかして、回転体２４０をステップモータ２５０により回転させれば、両大入賞口通路部２４３、２４４及び両球排出凹部２４１、２４２が回転体２４０の軸を中心として回転する。このような回転過程において、各大入賞口通路部２４３、２４４や各球排出凹部２４１、２４２が、順次、ケーシング２００ａの前壁２２０の開口部２２２に対向しながら回転する。
【０１１２】
このような状態において、遊技盤１０の盤面１１に沿い転動する遊技球が、順次、球受け部材２３０内に落下すると、当該これら各遊技球は、順次、球受け部材２３０によりその底壁でもってケーシング２００ａの前壁２２０の開口部２２２に向けて案内されて当該開口部２２２内に進入する。
【０１１３】
このような段階において、回転体２４０の大入賞口通路部２４３或いは２４４が前壁２２０の開口部２２２に対向しておれば、光センサ３１０が、回転体２４０の大入賞口通路部２４３或いは２４４が前壁２２０の開口部２２２に対向していることが、当該光センサ３１０によって検出される。これに伴い、回転体２４０が、ステップ４２０におけるゲートパルス信号出力停止処理のもとに現段階における回転位置を維持するように停止される。
【０１１４】
このような状態において、遊技球が上述のごとく前壁２２０の開口部２２２内に進入すると、この遊技球は、さらに、大入賞口通路部２４３或いは２４４内に進入し、然る後、入賞センサ２７０により、大入賞口への入賞として検出される。
【０１１５】
然る後、回転体２４０のさらなる回転のもとに、回転体２４０の球排出凹部２４１或いは２４２が前壁２２０の開口部２２２に対向すれば、光センサ３２０が、回転体２４０の球排出凹部２４１或いは２４２が前壁２２０の開口部２２２に対向していることが光センサ３２０によって検出される。これに伴い、回転体２４０がステップ４５０におけるゲートパルス出力停止指令処理のもとに現段階における回転位置を維持するように停止される。
【０１１６】
このような状態において、遊技球が上述のごとく前壁２２０の開口部２２２内に進入しても、この遊技球は、球排出凹部２４１或いは２４２内に進入した後、２１７を介し遊技盤１０と窓ガラスとの間に排出される。
【０１１７】
ここで、上述のごとく、直線運動を行うソレノイドのような構成に依存することなく回転運動を行う構成を、前壁２２０の開口部２２２との関係で採用したことから、大入賞口扉が不要となる。その結果、遊技球が大入賞口扉と窓ガラスとの間で噛み込まれるといったような不具合を未然に防止しつつ、遊技球の大入賞口への円滑な入賞を確保し得る大入賞口装置の提供が可能となる。
【０１１８】
また、上述のごとく、直線運動を行うソレノイドのような構成に依存することなく回転運動を行う構成として、ステップモータ２５０及びこのステップモータ２５０により回転駆動される回転体２４０が採用されていることから、回転体２４０をステップモータ２５０により高速回転しても、回転体２４０はステップモータ２５０の回転に対し追随性よく同期して回転し得る。このため、回転体２４０をステップモータ２５０により高速回転しても、上述した噛み込みを未然に防止しつつ、遊技球の大入賞口への円滑な入賞を確保することができる。
【０１１９】
なお、本発明の実施にあたり、上記各実施形態に限ることなく、次のような種々の変形例が挙げられる。
（１）回転体２４０を回転体本体２４０ａのみによって構成することで回転体本体２４０ａを回転体として把握し、当該回転体本体２４０ａの中心軸を中空状中心軸として形成して、当該回転体本体２４０ａをその中空状中心軸にてステップモータ２５０の出力軸２５２に同軸的に嵌着するようにして、連結部材２６０を廃止してもよい。なお、両被検出片２６２、２６３は、例えば、上記中空状中心軸の外周部から径方向に沿い外方へ互いに逆向きに延出するように設ければよい。
（２）球排出案内通路部２１７は、上記実施形態とは異なり、遊技球を、遊技盤１０の後方へ排出するようにケーシング２００ａに設けてもよい。
（３）光センサ３１０或いは３２０に限ることなく、一般的には、ステップモータ２５０或いは回転体２４０の回転角を検出するセンサであればどのようなセンサを採用してもよい。
（４）ステップモータ２５０に限ることなく、直流電動機等に種々の回転電動機を採用してもよい。
（５）上記実施形態とは異なり、ステップ４１１において、θ＝０°又は１８０°か否かにつき判定し、また、ステップ４１２において、θ＝９０°又は２７０°か否かにつき判定することで、両ステップ４１３、４１４を廃止してもよい。
（６）上記実施形態とは異なり、回転体２４０の入賞口通路部及び球排出凹部は、それぞれ、１つずつにしてもよく、また、例えば、３つずつにしてもよい。
（７）上記実施形態とは異なり、上記第１停止時間と上記第２停止時間とを同一の時間に設定してもよい。
【符号の説明】
【０１２０】
１０…遊技盤、２００…大入賞口装置、２１０…ケーシング本体、２２０…前壁、２２２…開口部、２３０…球受け部材、２４０…回転体、２４１、２４２…球排出凹部、２４３、２４４…大入賞口通路部、２５０…ステップモータ、２６０…連結部材、２６２、２６３…被検出片、３００…制御装置、３３０…マイクロコンピュータ、３１０、３２０…光センサ。
【図１】
2010246665.tif 000003
【図２】
2010246665.tif 000004
【図３】
2010246665.tif 000005
【図４】
2010246665.tif 000006
【図５】
2010246665.tif 000007
【図６】
2010246665.tif 000008
【図７】
2010246665.tif 000009
【図８】
2010246665.tif 000010
【図９】
2010246665.tif 000011
【図１０】
2010246665.tif 000012
【図１１】
2010246665.tif 000013
【図１２】
2010246665.tif 000014
【図１３】
2010246665.tif 000015